(57)【要約】【課題】リレー光学系に入射して観察者に眼視されるゴースト光を減少し、像を視認しやすくする小型のリレー式ファインダー光学系を提供すること。【解決手段】  一次像からの光束を複数回反射して射出する反射手段と、前記反射手段の射出側に配設され、前記一次像を結像して二次像を形成するためのリレー光学系２４と、前記二次像を観察するための接眼光学系２６を有し、前記反射手段は、前記一次像側から順に、第１反射面２１ａと、第２反射面２２ａと、第３反射面２３ａからなり、前記第１反射面と前記第２反射面が非平行に配設されてなるリレー式ファインダー光学系２０。【選択図】図２
2007212676.tif 000002
【特許請求の範囲】
【請求項１】
一次像からの光束を複数回反射して射出する反射手段と、
前記反射手段の射出側に配設され、前記一次像を結像して二次像を形成するためのリレー光学系と、
前記二次像を観察するための接眼光学系を有し、
前記反射手段は、前記一次像側から順に、第１反射面と、第２反射面と、第３反射面からなり、前記第１反射面と前記第２反射面が非平行に配設されてなることを特徴とするリレー式ファインダー光学系。
【請求項２】
前記リレー光学系は、前記第３反射面と前記接眼光学系の間に配設されていることを特徴とする請求項１に記載のリレー式ファインダー光学系。
【請求項３】
前記第１反射面と前記第２反射面のなす角度が１．５度以上１５度以下であることを特徴とする請求項１または２に記載のリレー式ファインダー光学系。
【請求項４】
前記一次像からの光束の光軸と前記反射手段から射出される光束の光軸のなす角度がほぼ９０度であることを特徴とする請求項１から３のいずれか１項に記載のリレー式ファインダー光学系。
【請求項５】
光軸に沿って、前記第２反射面と前記第３反射面との間に遮光部材を有することを特徴とする請求項１から４のいずれか１項に記載のリレー式ファインダー光学系。
【請求項６】
前記遮光部材は、開口絞りであることを特徴とする請求項１から５のいずれか１項に記載のリレー式ファインダー光学系。
【請求項７】
請求項１から６に記載のリレー式ファインダー光学系を有することを特徴とする撮像装置。
【発明の詳細な説明】
【技術分野】
【０００１】
本発明は、リレー式ファインダー光学系に関する。
【背景技術】
【０００２】
従来、一眼レフレックスカメラのファインダー光学系にリレー光学系を用いたものが提案されている（特許文献１参照）。
【特許文献１】特開平５−３４１３５６号公報
【発明の開示】
【発明が解決しようとする課題】
【０００３】
しかしながら、特許文献１に開示されているリレー式ファインダー光学系では、光学系を小型化しようとすると、一次像からの光束中に一次像周辺で発生するゴースト光がリレー式ファインダー光学系内の反射面に反射されてリレー光学系に入射し、接眼光学系を介して観察者に視認され像が見難くなると言う問題がある。
【０００４】
本発明は、上記課題に鑑みて行われたものであり、リレー光学系に入射して観察者に眼視されるゴースト光を減少し、像を視認しやすくする小型のリレー式ファインダー光学系を提供することを目的とする。また、このリレー式ファインダー光学系を有する撮像装置を提供することを目的とする。
【課題を解決するための手段】
【０００５】
上記課題を解決するために、本発明は、一次像からの光束を複数回反射して射出する反射手段と、前記反射手段の射出側に配設され、前記一次像を結像して二次像を形成するためのリレー光学系と、前記二次像を観察するための接眼光学系を有し、前記反射手段は、前記一次像側から順に、第１反射面と、第２反射面と、第３反射面からなり、前記第１反射面と前記第２反射面が非平行に配設されてなることを特徴とするリレー式ファインダー光学系を提供する。
【０００６】
また、本発明は、前記リレー式ファインダー光学系を有することを特徴とする撮像装置を提供する。
【発明の効果】
【０００７】
本発明によれば、リレー光学系に入射し観察者に眼視されるゴースト光を減少し、像を視認しやすくする小型のリレー式ファインダー光学系を提供することができる。また、このリレー式ファインダー光学系を有する撮像装置を提供することができる。
【発明を実施するための最良の形態】
【０００８】
以下、本発明の実施の形態に関し図面を参照しつつ説明する。
【０００９】
図１は、後述する本発明にかかるリレー式ファインダー光学系を有する撮像装置（一眼レフカメラ）の概略構成図である。
【００１０】
図１において、本発明にかかる撮像装置１０は、不図示の被写体からの光が、撮影レンズ１１を通過してクイックリターンミラー１２に入射し、反射されて焦点板１３に一次像を結像する。焦点板１３に結像された一次像からの光束は、後述するリレー式ファインダー光学系２０（３０）に入射して撮像装置の後方のファインダー１４を介して撮影者に視認される。撮影者は、被写体像を視認し、不図示のレリーズ釦を押し込むことによりクイックリターンミラー１２が撮影レンズ１１の光路から退避して撮像素子（例えば、ＣＣＤやＣＭＯＳ等）１５で撮像され不図示のメモリに記録される。このようにして、本発明にかかるリレー式ファインダー光学系２０（３０）を有する撮像装置１０（一眼レフカメラ）が構成されている。
【００１１】
本発明にかかる撮像装置１０は、後述するリレー式ファインダー光学系２０（３０）を内蔵しているため、小型でありながらゴースト光を減少させることができ、被写体像をより観察しやすくする事ができる。また、小型のリレー式ファインダー光学系２０（３０）を用いているため、より小型の撮像装置１０を構成することができる。また、本発明にかかる撮像装置１０は、撮像装置１０内のクイックリターンミラー１２と、リレー式ファインダー光学系２０（３０）に内蔵された３個の反射面により、ファインダー１４から正立化された被写体像を撮影者が観察することができる。
【００１２】
次に、本発明にかかるリレー式ファインダー光学系に関し図面を参照しつつ説明する。
【００１３】
（第１実施の形態）
図２は、本発明の第１実施の形態にかかるリレー式ファインダー光学系の概略構成図である。
【００１４】
図２において、リレー式ファインダー光学系２０は、焦点板１３に結像された一次像側から順に、第１反射部材２１と、第２反射部材２２と、第３反射部材２３と、リレー光学系であるリレーレンズ群２４と接眼光学系である接眼レンズ群２６とから構成されている。なお、第１反射部材２１と第２反射部材２２と第３反射部材２３とで一次像の光束を複数回反射してリレーレンズ群２４に入射する反射手段が構成されている。
【００１５】
撮像装置１０の焦点板１３に結像された一次像からの光束は、第１反射部材２１の第１反射面２１ａで反射されて第２反射部材２２の第２反射面２２ａに入射する。ここで第１反射面２１ａにおける入射光軸と反射光軸のなす角度は略９０度に設定されている。このように設定することによって、リレー式ファインダー光学系２０をより小型化することが可能になる。
【００１６】
第２反射部材２２に入射した光束は、第２反射面２２ａで反射されて第３反射部材２３に入射し、第３反射面２３ａで反射されてリレーレンズ群２４に入射する。第２反射面２２ａにおける入射光軸と反射光軸は９０度を超える角度になるように第１反射面２１ａと第２反射面２２ａが非平行に傾斜して配設されている。
【００１７】
リレーレンズ群２４は、一次像をリレーして二次像２５を形成する。この二次像２５を観察するための接眼レンズ群２６が配設されている。このようにして、本第１実施の形態にかかるリレー式ファインダー光学系２０が構成されている。
【００１８】
本発明の第１実施の形態にかかるリレー式ファインダー光学系２０は、第１反射面２１ａと第２反射面２２ａが非平行に傾斜して配設されているため、図２中の破線で示すような焦点板１３を透過して入射するゴースト光が第３反射面２３ａに入射し、リレーレンズ群２４に入射して接眼レンズ群２６の光路に入射することを防ぐことができる。これは、第１反射面２１ａに対して第２反射面２２ａが傾斜して配設されているため、第１反射面２１ａから第２反射面２２ａに向かう光束の光軸と第２反射面２２ａから第３反射面２３ａに向かう光束の光軸とのなす角度が鈍角となり、第３反射面２３ａを図２中の紙面で左下方向に移動させることができる。この結果、焦点板１３から第２反射部材２２に遮られずに第３反射面２３ａを見たときの見込み角が小さくなるため、第３反射面２３ａに入射するゴースト光を減少させることが可能となる。
【００１９】
また、本発明の第１実施の形態にかかるリレー式ファインダー光学系２０では、第１反射面２１ａと第２反射面２２ａとの傾斜角度は、１．５度以上１５度以下であること望ましい。傾斜角度が下限値の１．５度未満の場合、第３反射面の見込み角の減少が少ないためゴースト光を減少させる効果が殆ど得られない。一方、傾斜角度が上限値の１５度を超えると第３反射部材２３が図２中の紙面左方向に移動しすぎるため、第３反射部材２３から接眼レンズ群２６までの距離が長くなり小型化できなくなる。
【００２０】
（第２実施の形態）
図３は、本発明の第２実施の形態にかかるリレー式ファインダー光学系の概略構成図である。第１実施の形態と同様の構成には同じ符号を付し説明する。
【００２１】
図３において、リレー式ファインダー光学系３０は、焦点板１３に結像された一次像側から順に、第１反射部材２１と、第２反射部材２２と、第３反射部材２３と、遮光部材である開口絞り２７と、リレー光学系であるリレーレンズ群２４と接眼光学系である接眼レンズ群２６とから構成されている。
【００２２】
撮像装置１０の焦点板１３に結像された一次像からの光束は、第１反射部材２１の第１反射面２１ａで反射されて第２反射部材２２の第２反射面２２ａに入射する。ここで第１反射面２１ａにおける入射光軸と反射光軸のなす角度は略９０度に設定されている。このように設定することによって、リレー式ファインダー光学系３０をより小型化することが可能になる。
【００２３】
第２反射部材２２に入射した光束は、第２反射面２２ａで反射されて第３反射部材２３に入射し、第３反射面２３ａで反射されてリレーレンズ群２４に入射する。第２反射面２２ａにおける入射光軸と反射光軸は９０度を超える角度になるように第１反射面２１ａと第２反射面２２ａが非平行に傾斜して配設されている。
【００２４】
リレーレンズ群２４は、一次像をリレーして二次像２５を形成する。この二次像２５を観察するための接眼レンズ群２６が配設されている。このようにして、本第２実施の形態にかかるリレー式ファインダー光学系３０が構成されている。
【００２５】
本発明の第２実施の形態にかかるリレー式ファインダー光学系３０は、第１反射面２１ａと第２反射面２２ａが非平行に傾斜して配設されているため、第２反射部材２２と第３反射部材２３との間に視野光束とゴースト光Ａとを分離する領域を設けることが可能になり、この領域に遮光部材である開口絞り２７を配設することによってゴースト光Ａをカットすることが可能になる。これは、第１反射面２１ａに対して第２反射面２２ａが傾斜して配設されているため、第１反射面２１ａから第２反射面２２ａに向かう光束の光軸と第２反射面２２ａから第３反射面２３ａに向かう光束の光軸とのなす角度が鈍角となり、第３反射面２３ａを図２中の紙面で左下方向に移動させることができ、第２反射部材２２と第３反射部材２３との間に視野光束とゴースト光Ａとを分離する領域が形成され、この位置に開口絞り２７等の遮光部材を配設することが可能になり、良好にゴースト光Ａをカットすることができる。なお、遮光部材は開口絞り２７に限らず、分離領域中の視野光束の近傍に遮光板等を配置することでゴースト光Ａをカットすることができる。
【００２６】
また、本発明の第２実施の形態にかかるリレー式ファインダー光学系３０では、第１反射面２１ａと第２反射面２２ａとの傾斜角度は、１．５度以上１５度以下であること望ましい。傾斜角度が下限値の１．５度未満の場合、視野光束とゴースト光Ａとを分離する領域を形成することが困難になる。一方、傾斜角度が上限値の１５度を超えると第３反射部材２３が図２中の紙面左方向に移動しすぎるため、第３反射部材２３から接眼レンズ群２６までの距離が長くなり小型化できなくなる。
【００２７】
なお、上記全ての実施の形態において、第１反射部材２１、第２反射部材２２、第３反射部材２３で構成される反射手段は、個別のミラー部材あっても良いし、プリズムの組合せでも良いし、プリズムとミラー部材の組合せでも良い。
【００２８】
なお、上述の実施の形態は例に過ぎず、上述の構成や形状に限定されるものではなく、本発明の範囲内において適宜修正、変更が可能である。
【図面の簡単な説明】
【００２９】
【図１】本発明にかかるリレー式ファインダー光学系を有する撮像装置（一眼レフカメラ）の概略構成図である。
【図２】本発明の第１実施の形態にかかるリレー式ファインダー光学系の概略構成図である。
【図３】本発明の第２実施の形態にかかるリレー式ファインダー光学系の概略構成図である。
【符号の説明】
【００３０】
１０    撮像装置（一眼レフカメラ）
１１    撮像レンズ
１２    クイックリターンミラー
１３    焦点板
１４    ファインダー
１５    撮像素子
２０、３０    リレー式ファインダー光学系
２１    第１反射部材
２２    第２反射部材
２３    第３反射部材
２４    リレーレンズ群
２５    二次像面
２６    接眼レンズ群
２７    遮光部材（開口絞り）
【図１】
2007212676.tif 000003
【図２】
2007212676.tif 000004
【図３】
2007212676.tif 000005